(57)【要約】  支持体、並びに、湿式及び／又は乾式バインダーの存在下において並んだ構成でギャップレスで支持体上に粘着して維持される１又は複数の適用領域を含んだ適用要素から形成される化粧品アプリケーターの製造方法。前記支持体は、それぞれの適用領域上に印刷されるに従い、化粧スラリーに対してより優れた結合を提供する湿潤剤にさらされる。各化粧の適用領域の化粧料組成物は異なり得る。種々の化粧効果を、移動可能な適用において最終消費者に提供することができる。
2010535091.tif 000002
【特許請求の範囲】
【請求項１】
化粧品アプリケーターの作製方法であって：
可撓性材料を提供するステップ；
前記可撓性材料の表面上に湿潤剤をスクリーン印刷して、予め湿らされた材料の表面を形成するステップ；及び、
前記予め湿らされた材料の表面上に第１のパターンで第１の化粧料組成物を提供するステップ；
を含む化粧品アプリケーターの作製方法。
【請求項２】
前記予め湿らされた材料の表面上に第２のパターンで第２の化粧料組成物を提供するステップであって、前記第２のパターンが前記第１のパターンに隣接する、ステップをさらに含む、請求項１に記載の方法。
【請求項３】
前記スクリーン印刷された湿潤剤を、約６０°Ｆから約１５０°Ｆの温度にさらして、前記スクリーン印刷された湿潤剤の少なくとも一部を蒸発させるステップをさらに含む、請求項１に記載の方法。
【請求項４】
前記湿潤剤が揮発性である、請求項１に記載の方法。
【請求項５】
前記湿潤剤が親水性である、請求項１に記載の方法。
【請求項６】
前記湿潤剤が低分子量のポリオールを含む、請求項１に記載の方法。
【請求項７】
前記湿潤剤が、本質的に、ジプロピレングリコールを約５０．５％、プロピレングリコールを約４４．５％、シリカを約２．７％、及び、ニスを約２．３％含む、請求項１に記載の方法。
【請求項８】
前記第１の化粧料組成物が、前記第２の化粧料組成物とは異なる、請求項２に記載の方法。
【請求項９】
前記第１のパターンが前記第２のパターンと並んだ構成であり、前記第１のパターンの側端部が前記第２のパターンの側端部に接触する、請求項２に記載の方法。
【請求項１０】
請求項２に記載の方法であって：
前記湿潤剤の少なくとも一部が前記可撓性材料によって吸収されるようになることを可能にするステップ；
後に、前記第１の化粧料組成物を前記第１のパターンでスクリーン印刷し、スクリーン印刷された第１の化粧品を形成するステップ；
前記スクリーン印刷された第１の化粧品の少なくとも一部を蒸発させるステップ；
後に、前記第２の化粧料組成物を前記第２のパターンでスクリーン印刷し、スクリーン印刷された第２の化粧品を形成するステップ；
前記スクリーン印刷された第２の化粧品の少なくとも一部を蒸発させるステップ；並びに、
前記スクリーン印刷された第１及び第２の化粧品上に保護層を提供するステップ；
をさらに含む、方法。
【発明の詳細な説明】
【技術分野】
【０００１】
本発明は化粧品アイテムに関し、特に、支持体から人体まで移される化粧品アプリケーターに関する。
【背景技術】
【０００２】
化粧をすることは、一般に、ユーザーにとって時間のかかる経験である。しかし、人体の特定の領域上に化粧をすることは、トータルルック、すなわち洗練され磨き上げられた外見を得るのにこれらの領域がユーザーにとってより複雑な化粧品の配置を必要とする場合があるため、さらにより時間のかかる作業である。かなりの時間が与えられたとしても、この外見を創造するのに必要な技術をユーザーが欠いている場合が多くある。
【０００３】
例えば、アイシャドーをつけることにおいて、瞼の上にはより濃い色合い、及び、眉の近くではより薄い色合いを提供することが所望される。次に、瞼の折り目から、すなわち、後頭骨上で眉の近くまで色は変化される。
【０００４】
この外見を得るために、ユ―ザーは、はけ、ブラシ、スポンジ等の道具を介して２つ以上の主要な色合いのアイシャドーを適用しなければならない。中間の色調は、これらの主要な色合いを混ぜ合わせることによって達成される。一般的に、この完全な目元のメーキャップの外見は、極度に熟練されたユーザー、又は、おそらくメーキャップアーティストを要する。従って、ユーザーは、時間のかかる作業なしで洗練された外見を望む。
【０００５】
さらなる例において、唇のメーキャップを適用する際に、ユーザーは、好ましい口紅の色と似た色合いのとがったリップライナーペンシルを用いて軽く唇の輪郭を際だたせることから始める。そうするために、ぐらつかない手、及び、口の中心から角まで上唇を先細に描く技術を要する。下唇に対して、唇は端から端まで輪郭を際だたされる。次に、唇は、皮膚の色調と一様にさせるために特別なベース又はバランサーで満たされる。次に、口紅又はリップブラシを使用して、色が広げられ吸着される。最後に、リップカラーを適用して好ましいグロスルックを得る。一般的に、この洗練された外見は、かなりの時間を有した極度に熟練されたユーザーを要する。従って、ユーザーは、時間のかかる作業なしで洗練された外見を望む。
【０００６】
さらに別の例において、傷跡を覆い隠すために、いくつかの色調の色を混ぜ合わせて、分離した領域上に自然な外見を提供する。ユーザーは、一般的に、同じ混色を毎日繰り返す技術を有していない。従って、適した且つ繰り返すことができる外見に対する必要性が存在する。
【０００７】
当技術分野において既存の製品は、油を含んだ製法を使用している。本質的に、これらの製品は、質を落とし、１つの領域から別の領域まで色調をにじませてしまう。これは特に、この領域の繰り返しの動き及び天然油の傾向によって相当な耐久性の質的低下が生じる瞼の領域において真実である。
【発明の概要】
【発明が解決しようとする課題】
【０００８】
従って、望まれることは、耐久性を改良した化粧品アプリケーターに適した移動可能な化粧品である。
【課題を解決するための手段】
【０００９】
本明細書に開示された種々の実施形態と一貫して、化粧品アプリケーター、キット、及び、その製造方法が開示される。一実施形態の下、化粧品アプリケーターは、湿潤剤で予め湿らされた紙等の可撓性材料を含む。湿らされると、前記可撓性材料には、第１の化粧スラリー（ｃｏｓｍｅｔｉｃ  ｓｌｕｒｒｙ）を使用して第１のパターンが提供される。第２及びさらなるパターンを、次に、第２及びさらなる化粧スラリーを使用して、形成された可撓性材料上に提供することができ、前記第２及びさらなるパターンは、並んだ構成でそれぞれ前のパターンに隣接している。各パターンの縁は、隣接するパターンの縁と接触するか、又は、わずかに重なるべきである。隣接するパターンに使用される化粧スラリーは、化粧品アプリケーターがユーザーによって適用された場合により洗練された外見を提供するように、異なっていることが好ましい。化粧品アプリケーターに対する可撓性材料が処理される場合、別の実施形態の下、支持するためのキャリアボードと一致させることが好ましい。
【００１０】
さらに別の実施形態の下、湿潤剤が可撓性材料に適用される場合、スクリーン印刷に先立ち可撓性材料内に吸収される。湿潤剤は、プリントスクリーンを使用して適用することができ、湿潤剤は、少なくとも１つの揮発性材料及び少なくとも１つの非揮発性材料からなり得る。適用後、湿潤剤は乾燥工程にさらされ、揮発性材料の少なくとも一部を蒸発する。さらに、各化粧スラリーが印刷された後、それぞれの化粧スラリーの少なくとも一部をさらに処理する前に蒸発することができる。
【図面の簡単な説明】
【００１１】
【図１】本発明の１又は複数の実施形態による化粧品アプリケーターを例示している。
【図２Ａ】主に図１のディテールＡに従った拡大平面図を例示している。
【図２Ｂ】図２Ａの断面図を例示している。
【図３Ａ】主に図１のディテールＢに従った拡大平面図を例示している。
【図３Ｂ】図３Ａの断面図を例示している。
【図４Ａ】主に本発明の１又は複数の実施形態による図１のディテールＢに従った拡大平面図を例示している。
【図４Ｂ】図４Ａの断面図を例示している。
【図４Ｃ】主に本発明のさらなる実施形態による図１に示されたディテールＡに従った拡大平面図を例示している。
【図４Ｄ】主に図４Ｃの実施形態による、図１に示されたディテールＢに従った拡大平面図を例示している。
【図５】本発明の別の実施形態による化粧品アプリケーターの製造方法の概略図を例示している。
【図６】図５による化粧品アプリケーターの製造に使用される一連のスクリーンの平面図を例示している。
【図７】図５による製造中の一連の化粧品アプリケーターの平面図を例示している。
【図８】本発明の１又は複数の実施形態による化粧品を例示している。
【図９】図８による化粧品アプリケーターの製造に使用されるスクリーンの平面図を例示している。
【図１０】図８による化粧品アプリケーターの製造に使用されるスクリーンの平面図を例示している。
【図１１Ａ】主に本発明の１又は複数の実施形態による図８のディテールＣに従った拡大平面図を例示している。
【図１１Ｂ】図１１Ａで示された実施形態の断面図を例示している。
【図１２Ａ】主に本発明のさらなる実施形態による図８のディテールＤに従った拡大平面図を例示している。
【図１２Ｂ】図１２Ａの断面図を例示している。
【図１３】本発明のさらなる実施形態による化粧品アプリケーターを例示している。
【図１４】本発明の１又は複数の実施形態による頬紅用化粧品アプリケーターを例示している。
【図１５】本発明の別の実施形態による化粧品アプリケーターの製造方法の概略図を例示している。
【発明を実施するための形態】
【００１２】
図１〜３を参照すると、一実施形態に従い化粧品アプリケーター１０は、支持体１２及び適用要素１４を含み、該適用要素１４は、前記支持体上に堆積され、適用要素１４に利用される複数の粉末化粧料組成物を移動させるのに適している。粉末組成物の移動は、例えば化粧品アプリケーターに圧力が加えられた場合に、ユーザーの体の上で生じ得る。前記複数の粉末化粧料組成物は、特定の化粧効果を与えるために所定の構成において適用要素１４の支持体１２上に堆積されることが好ましい。
【００１３】
粉末化粧料組成物は支持体１２に対して親和性を有する一方で、粉末化粧料組成物は皮膚に対してより優れた親和性を有し、従って、支持体１２から皮膚まで容易に移動可能である。適用要素１４は、ユーザーの皮膚に対して化粧品の単位用量を提供するよう意図される。好ましくは、移動可能な化粧品の少なくとも１つが、改良された耐久性を有するよう調合されてきた。
【００１４】
本明細書において、「化粧品アプリケーター」は、化粧品を人体に移動させる製品に対する最も広く可能な観念で使用される。
【００１５】
本明細書に使用される場合、「化粧品」（又は同義語として、「化粧料組成物」及び「粉末化粧料組成物」）は、着色されていようとなかろうと、薄膜として人体の領域上に局所的に適用された場合に所望の視覚による化粧効果を提供する粉末状の組成物を意味している。例えば、「化粧品」は、頬紅、フェイスパウダー、又は、いかなる他の装飾用又は機能的な粉末も意味している場合がある。特に、当該化粧品は、目の近くでの使用、すなわち、アイシャドーに適している。
【００１６】
「化粧品」及び「化粧品アプリケーター」は、場合に応じて、１又は複数の治療、医薬、又は全体観的治療の物質を提供し、人体に対して一時的、半永久的、又は永久的な効果を含めた所望の視覚効果を人体に対して与える製品又は組成物も意味している。
【００１７】
「単位用量」は、１回のユーザーによるアプリケーターの使用に対して十分な量であり、適用領域に化粧効果を提供する、皮膚に移動される化粧料組成物の量を意味している。アプリケーターの使用後、単位用量は空にされ、アプリケーターは捨てられる。単位用量がユーザーに届けられる一方で、アプリケーターはユーザーの皮膚に移動されるものに対して余分な化粧品を含有している場合があり、すなわち、使用後に支持体上に余りの化粧品が残る。
【００１８】
「化粧効果」は、化粧アプリケーターが使用された皮膚の領域に対する目に見える化粧による向上を意味しており、その効果は、異なる色の度合いを有した複数の異なる適用領域、好ましくは３箇所以上、好ましくは３から５箇所の適用領域を含む。
【００１９】
化粧品アプリケーター１０は、上記及び本明細書に教示されているように、ユーザーの目の領域にアイシャドーを適用するよう構成されていることが好ましい。しかし、化粧品アプリケーター１０はこの実施形態に限定されない。例えば、化粧品アプリケーターは、リップカラーを提供するよう、頬及び顔面に色を提供するよう、傷跡又はしみを覆い隠すよう、眉を提供するか又は眉を増すよう構成することができる。
【００２０】
目の領域付近等に行われる化粧の適用を含む実施形態下で、人体の他の部分に行われる化粧の適用と比較した場合に特定の試みが導入されることが判る。特に、目の領域は柔らかく、後頭骨という骨によってのみ眉の下で支えられている。従って、頬骨が皮膚の下にある頬とは違って、化粧品アプリケーター１０は、十分に柔らかく柔軟であるよう構成されるべきである。
【００２１】
目の領域等の人体の左右相称に適応させるために、化粧品アプリケーター１０は、好ましい実施形態下で、そのような人体の領域にメーキャップを提供する必要がある場合に、右側及び左側のバージョンを有するよう適切に構成される。従って、図１は左側のバージョンを示しており、右側のバージョンはその鏡像である。図１３に関して開示されたさらなる実施形態において、右側又は左側のアプリケーターの混合を防ぐために、アプリケーターは、ユーザーの左側及び右側の目の領域に対する連続した適用に適した形状を有するよう構成されることが好ましい。適用中、ユーザーは、例えばパーフォレーションに沿ってブリッジの領域からアプリケーターの１つを引きはがし、次に、本明細書に開示された他の実施形態に記述されるように、アプリケーターを適用することになる。
【００２２】
目の領域を含めた体の特定の領域は、化粧品アプリケーターをその意図された領域に並べるのが困難であるため、化粧品アプリケーター１０は、化粧品が移動されることになる体の領域に実質的に適した形状１０ａを有するよう構成される。形状１０ａは、化粧品アプリケーターのより簡単な位置づけを可能にするタブ又はハンドル１０ｂを含み得る。ハンドルは、図１で示されているように、一体化され、適用要素の面に実質的にあるよう構成することができる。
【００２３】
一般的に、ユーザーは親指と人さし指の間でハンドル１０ｂを掴み、化粧品アプリケーター１０がこれら２つの指で形成される面内に実質的に配置されるようにする。好都合に、体の領域の面に沿って化粧品アプリケーター１０を掴む場合、こめかみに近い目の領域等、険しい縁を有することは、ユーザーがより容易に化粧品アプリケーターの位置に気づき、化粧品の単位用量を移動させるのを可能にする。
【００２４】
このように、ユーザーが化粧品アプリケーター１０の位置を定めて化粧品を移動させる場合、周辺縁部１０ｃ等の化粧品アプリケーターの縁表面は、ユーザーの体に接触する場合がある。次に、ユーザーは、化粧品アプリケーター１０の位置を決定し、前の知識及び／又は試行錯誤に基づいて必要な修正を行うか又は正確な位置を確かめることができる。
【００２５】
ハンドル１０ｂは、別に形成することもできる。例えば、ハンドル１０ｂは、１又は複数の部分を化粧品アプリケーターの側部又は後方表面に付着させることによって形成することができる。ハンドル１０ｂのさらなる部分をそこから延ばし、ユーザーがより便利にハンドル１０ｂを掴むのを可能にすることができる。次に、ハンドルを折り、化粧品アプリケーター１０と共にフラットパックできるように、ハンドル１０ｂは１又は複数の折り目を含み得る。
【００２６】
支持体１２は、適用要素に対して支持を与えるために実質的に形状１０ａの全体を含むよう製造された可撓性の平面体を含んでいることが好ましい。支持体１２は、適用要素１０のうち少なくとも１つの化粧品を受けるために、適した材料から作製されることが好ましい。その材料は、処理に耐えるのに十分な引張り強さを有した柔らかい可撓性の紙であることが好ましい。紙の坪量は、約４から約３０ポンド、好ましくは、約８から約２４ポンドであり得る。アイシャドー製品に対して、坪量は約８から約１６ポンドであることが好ましく、頬紅製品に対して、坪量は約１６から約２４ポンドであることが好ましい。本明細書において、坪量は、５００枚（２４”×３６”）の重量を意味する。
【００２７】
ろう紙及びシリコンコート紙、綿状沈殿物、泡状物質、不織材料又は織物状材料、紙／繊維の組合せ、積層、その組合せ、又は、少なくとも１つの化粧品を保持し、適用要素がユーザーの体と接触している際にアプリケーターの後方表面に圧力が加えられた場合にそれを放出する他の適した材料を含めた紙を、支持体１２は別に含むことができる。セルロースからできた紙が好ましい。
【００２８】
好ましくは、支持体１２は、一般的に形状１０ａを維持するのに適した厚さを有している。必要に応じて、前記支持体は、化粧品アプリケーターが適用される人体の１又は複数の輪郭に従うよう十分に曲がることが好ましい。紙の支持体が使用される場合、典型的な厚さは約０．００１０から約０．０１２０インチに及ぶ。一実施形態において、約０．００４０から約０．０１２０インチの厚さを有したより厚い紙を使用することができる。処理条件に応じて、このより厚い紙は、支持ボード又はキャリアの非存在下で化粧品アプリケーターを作製するのに十分であり得る。しかし、以下においてさらに詳しく記述されるように、積層ウェブ又は支持ボードと共により薄い紙の支持体を使用することができ、その場合、紙の厚さは約０．００１０から約０．００４０インチ、好ましくは約０．００１０から０．００３０インチ、最も好ましくは、約０．００１２から約０．００２５インチであり得る。
【００２９】
図２Ａ〜２Ｂ及び３Ａ〜３Ｂで例示された一実施形態に従って、支持体１２を繊維１２ａ及び１２ｂから形成することができ、図１で例示されたディテールＡに関しておおまかに示されているように、前記繊維は互いにある角度で織られている。繊維（１２ａ、１２ｂ）は、１又は複数の貯蔵所１２ｃを繊維間で形成し、図１のディテールＢとしておおまかに示された領域において１又は複数の適用要素の化粧品を保持する。
【００３０】
図４ａ及び４ｂで例示されたさらなる実施形態に従って、支持体１２は、浮出した部分１２ｄ及び／又は窪んだ部分１２ｅを有した不織材料から形成することもできる。窪んだ部分内若しくは浮出した部分間にある１又は複数の貯蔵所１２ｃは、従って、図１のディテールＢとしておおまかに示された領域において１又は複数の適用要素の化粧品を保持するために形成される。
【００３１】
さらに、図４ｃ及び４ｄで例示されたさらなる実施形態に従って、泡状物質及び／又は芯材料等の不織材料から支持体を作製することもでき、その支持体は、図１のディテールＢとしておおまかに示された領域内に１又は複数の適用要素の化粧品を保持するための貯蔵所を提供する浮出した部分１２ｆ及びポケット１２ｇを有する。
【００３２】
適用要素１４は、実質的に支持体１２の前方表面上にある薄層に配置された複数の化粧品を含む。適用要素は、図１の１４ａ〜１４ｅとしておおまかに示された１又は複数の適用領域のパターンを含む。適用領域は、調和効果又は向上を含むよう互いにギャップレスで隣接していることが好ましい。化粧品の薄層は、以下で開示されるように、乾湿バインダーの存在に照らして支持体上で粘着して維持されるよう構成される。
【００３３】
適用要素１４に対する各適用領域は、人体に適用された場合、配色又は色合い等の化粧効果を有することができ、全体として考慮された場合、洗練された外見を提供することを理解されたい。適用要素１４の各適用領域１４ａ〜１４ｅに対する色合い及び／又は色は、ユーザーに対して容易な使用を可能にするために、予め決定され、適切に調和されることが好ましい。同様に、各適用領域１４ａ〜１４ｅの大きさは、好感を持たれた配置を提供するか又は調和効果を提供し、さらにユーザーに対して容易な使用を可能にするよう予め決定されていることが好ましい。
【００３４】
各適用領域１４ａ〜１４ｅにおける化粧品の量は、各適用領域１４ａ〜１４ｅが適用される領域に適した単位用量を届けるよう測定されることが好ましい。各ユーザーの皮膚は異なるため、アプリケーターからユーザーの皮膚まで移動される化粧品の量は異なり得る。例えば季節変化及び他の要因等の他の要因も、移動される化粧品の量に影響し得る。単位用量に存在する化粧料組成物の量は、従って、大抵の条件及び消費者を満たすのに必要とされる量を超える。
【００３５】
例えば、化粧品アプリケーター１０は、目の領域の折り目に適した領域１４ａ等１つの適用領域を有するよう、及び、色合いを変える１又は複数の他の領域を有するよう、すなわち、領域１４ｂ〜１４ｅが瞼からまつ毛のライン上に延びるよう構成することができる。従って、３から５つの色調が適用領域１４ａ〜１４ｅにおいて存在し得る。これらのうち、１又は複数が異なる色合いであり、例えば、適用領域１４ａ、１４ｃ、及び、１４ｅ、並びに１又は複数の適用領域の色合いは、少しずつ変化された色合い、すなわち、適用領域１４ｂ（異なる色合い１４ａ及び１４ｃの混合物）の色合い、並びに、１４ｄ（異なる色合い１４ｃ及び１４ｅの混合物）の色合いである。
【００３６】
使用中、ユーザーは化粧品アプリケーターをそのパッケージから取り出し、右側又は左側のバージョンの化粧品アプリケーターがある場合、正しい右側又は左側のバージョンの化粧品アプリケーターを選択する。アプリケーターがカバー７２（図７を参照）に付随してくる場合、本明細書においてさらに教示されるように、ユーザーはそのカバーを取り除く。ハンドル１０ｂを掴み、ユーザーは化粧品アプリケーター１０（図１）の位置を定めて、おそらく、アプリケーターの周辺縁部が目の領域に接触しているのを感じ、必要に応じてアプリケーターの位置を変える。満足のいく位置の上で、ユーザーは、１又は複数の指を用いて支持体１２の後方表面に圧力を加える。適用要素１４に利用される化粧品は、このように、ユーザーの体に移される。瞼及び眉の上でユーザーの指のまわりを転がす動きで、軽い圧力を直接アプリケーターに適用することができるか、又は、アプリケーター１０の前方表面を軽くマッサージするか若しくはこすることによって軽い圧力を実現することができる。本明細書においてさらに教示されるように、移動可能な化粧品のうち少なくとも１つが、改良された耐久性を有するよう調合されてきたことが好ましい。
【００３７】
ユーザーにとって例証となる指示は以下のような：「プラスチックのカバーを正面に向けて、アイシャドーシートの１つをプラスチックから引っ張り離す。一つずつ目に適用する。シートの内側（丸みのある端）を瞼の内側の角に合わせて、原位置で保つ。（反対の手の）指でシート全体を優しく押してこすり、外見全体の移動を確実にする。シートを取り除き、指先で混ぜ合わせる」であり得る。
【００３８】
図１３に関して例示されたさらなる実施形態において、化粧品アプリケーター１１は、支持体１２上に前述のように配置された２つの適用要素１４を含む。好ましくは、適用要素１４は、支持体１２に付着される。ユーザーに便宜を提供する、及び、右側又は左側のアプリケーターの混合を防ぐために、アプリケーターは、ユーザーの左側及び右側の目の領域に対する連続した適用に適した形状１１ａを有するよう構成される。形状１１ａは、それぞれ左側及び右側の目の領域１１ｃ、１１ｄを接続するブリッジ１１ｂを含み、適切に方向づけられた適用要素１４が配置される。好ましくは、各適用要素１４は、支持体１２から別々に取り外され、目に連続して適用される。
【００３９】
本明細書において例示されているように、及び／又は、米国特許第５，１９２，３８６号に開示されているように、化粧品アプリケーター１０は、フラットスクリーン捺染工程、すなわち、セリグラフィ印刷を使用して製造することができる。しかし、化粧品アプリケーター１０は、いかなる他の適した工程によっても製造することができる。
【００４０】
図５を参照すると、システム５０は、制御装置５２、５４としておおまかに示される支持体の供給、６０ａ及び６０ｅとしておおまかに示される複数のスクリーン印刷ユニット、並びに、７０としておおまかに示される仕上作業を含み得る。支持体１２は、ロール５４上に提供されることが好ましいか、又は、シート等の上に提供することができる。図５の実施形態の下、支持体上の所定の適用領域において連続的に化粧料組成物を堆積させる複数のスクリーン印刷ユニットを支持体は通り抜け、１つの適用要素を形成する。その製造は、化粧品アプリケーターが適切に大きさを決められて包装された時に完了する。より明確には、スクリーン印刷ユニット６０ａは化粧品を適用し、適用要素１４の第１の適用領域１４ａを支持体上に形成して後の製造ステップのために調製する。
【００４１】
図５に例示されているように、スクリーン印刷ユニット６０ａは、当技術分野において一般的に既知であるように調製した、スクリーン６３ａを有したプリンタ６２ａを含む。図６に示されているように、スクリーン６３ａは、適用領域１４ａの形状及び大きさに一致した１又は複数のスクリーンされた開口部６４ａを表面に有した不浸透性の表面を含む。次のスクリーン（６３ｂ〜６３ｅ、スクリーン６４ｃ、６４ｄは明確性の目的のため例証において省略した）は、図７でさらに例示されているように、そのそれぞれの適用領域の形状及び大きさ（１４ｂ〜１４ｅ）に一致した異なる開口部（６４ｂ〜６４ｅ）を有することになる。スクリーン及び支持体上の複数の目標６５を、適用領域の正確な位置決め及び印刷に寄与するよう提供することができる。
【００４２】
再度図５を参照すると、リザーバ６６ａは適した量のスラリー８０ａをスクリーン６３ａに提供し、適した分量がスクリーンされた開口部６４ａを通って支持体上に排出され、適用領域１４ａを作製している。適用領域１４ａが堆積された後、余分なスラリーが取り除かれる。スクリーンは取り外され、支持体は間隔６７ａから乾燥機６８ａまで移動する。
【００４３】
前記間隔は、適用領域１４ａに対する組成物から溶媒の一部又は全てを蒸発するのを可能にするよう予め決定されることが好ましく、組成物の違いに対して調整することができる。間隔６７ａは、支持体１２のロールストック又はシートストックが溶媒を適切に蒸発するよう所定の時間残る乾燥棚として代わりに構成することができる。乾燥機６８ａは、支持体１２のロールストック又はシートストックを収容し、適用領域１４ａとして堆積された組成物を乾燥するためのいかなる適した乾燥機でもあり得る。
【００４４】
図５の実施形態において、１又は複数のさらなるスクリーン印刷ユニット（６０ｅ）が、適用領域１４ｂ〜１４ｅを印刷するよう提供されている。それぞれのスクリーン印刷ユニットでは、適切なスラリー（８０ｅ）が、各適用領域に対してスクリーンされた開口部（６４ｅ）及びスクリーン（６３ｅ）を介して堆積されるよう選択される。例えば、５個の適用領域（１４ａ〜１４ｅ）が望まれる場合、第１の適用領域１４ａは、好ましくは、第１のスクリーン印刷ユニット６０ａによって処理され、次の適用領域（１４ｂ〜１４ｄ）は、そのそれぞれのスラリー（図示せず）を利用してさらなるスクリーン印刷ユニットによって処理されるであろう。図５に例示されているように、最後（５つ目）の適用領域１４ｅは、（スラリー８０ｅを使用して）スクリーン印刷ユニット６０ｅによって処理されるであろう。
【００４５】
スクリーン印刷ユニット（６０ａ〜６０ｅ）による処理の後、印刷されたロールストック又はシートストックは、次に、仕上作業７０まで進み、化粧品アプリケーター１０が図１に例示されている形状１０ａを有するように裁断機において１又は複数のステップで裁断されることが好ましい。同じステップ又は異なるステップで、カバー７２が、誤った適用要素の移動を防ぐために、適した形状に裁断されるか又は提供される。好ましくは、前記カバーは、形状１０ａに一致するよう裁断され、及び／又は、容易な識別を可能にするために透明又は澄んでいる。例えば、カバー７２は、透明なプラスチックの積層から作製することができる。化粧品アプリケーターは、次に、配達のために包装される。仕上作業７０中、製品をシートに裁断することができ、これらのシートを図１３に示されている形状に裁断するために別のオフライン作業に送ることができる。
【００４６】
上記の図面及び次に図８〜１２に関して、さらなる実施形態に従って、ディテールＣ（図８）等の適用領域を全ての貯蔵所ではなく一部の貯蔵所に選択的に印刷することができるように、開口部を支持体と調和させるよう１又は複数のスクリーンを構成することができる。従って、図９で例示されているスクリーン６３ｉは、選択された部分においてのみ化粧品材料を堆積させた適用領域１４ｉ（図８）を生成するであろう。この方法で、化粧品の効果を制御することが可能である。さらに、スクリーンをかぶせて効果を組み合わせることも可能である。このように、スクリーン６３ｇ及び６３ｈは、互いに順次に刷り重ねてディテールＤの位置に適用領域１４ｇを得るよう適切に構成される。
【００４７】
１又は複数の実施形態において、領域１４ｇは、１つのスクリーンを使用する、及び、それぞれ隣接する領域のスラリーの所定の混合、一般的には５０−５０の混合になるようスラリーを調合することによって得られる。前記スラリーは、所定の比における３つの主要な色合いの混合物でもあり得る。
【００４８】
化粧料組成物は、支持体よりも皮膚に対してより高い親和性を有するように調合される。目の領域付近への支持体からの化粧品の移動は、小板状の結晶構造を有した雲母等の充填剤を組成物が含有する場合に改善されることが判ってきている。目の周りの皮膚はより高い濃度の天然油を有しているため、移動は目の領域付近で容易にされることも信じられている。
【００４９】
従って、皮膚への化粧品の移動を最適化するために、目の上への粉末の移動量を減らすことを要する場合がある。さらに、容易に移動する粉末化粧品は、製品の処理又は輸送中に生じる振動の力のため、その印刷された領域から分散されるのに十分な程ゆるむ恐れがある。移動の減少は、粉末同士及び粉末と紙の結合を改善する液体バインダーをスラリーに添加することにより結合力を上げることによって達成される。
【００５０】
化粧スラリー（８０ａ〜８０ｅ）は、化粧料組成物、及び、該化粧料組成物が分散される１又は複数の非水性で揮発性の溶媒を含んでいることが好ましい。当該化粧品は、３５から６５重量％、好ましくは４０から６０重量％スラリーのメーキャップを含み、当技術分野において一般的に既知であるように混ぜ合わされた粉末であり得る。
【００５１】
スラリーが流れるのを可能にする溶媒は、化粧料組成物が添加される無臭のミネラルスピリット、イソプロピルアルコール、揮発性のシリコン等、又は、その融和性の組合せであり得る。溶媒の量は、スクリーンメッシュの密度に適合するよう調整されることが好ましい。揮発性溶媒として同様に有用なのは、水、又は、イソプロピルアルコール若しくはエタノール等の低分子量のアルコール等、別の溶媒との融合性の組合せにおける水である。
【００５２】
このように、さらなる溶媒を添加して粘度を下げ、流動性を改善することができる。化粧品に対して溶媒を少なくすることによって、スラリーをより粘性を高くし、流動性を下げることもできる。溶媒の揮発度は、製造システムにおける乾燥ステップ中のその実質的な除去を確実にするよう予め決定される。
【００５３】
好ましくは、スラリーの分離を防ぐために、スラリーは絶えずリザーバ６６内で混ぜ合わされる。スラリーをさらに安定化させるために、懸濁剤をスラリー内に取り込み、揮発性溶媒に化粧成分を懸濁するのに寄与することができる。懸濁剤は、揮発性及び／又は親水性であり得る。適した懸濁剤は、グリセリルエステル、エトキシル化脂肪族アルコール、レシチン等のリン脂質、及び、そのような物質の組合せ等の界面活性剤であり得る。マルトデキストリン又は変性セルロース化合物等の界面活性ではないものも使用することができる。例えばベントナイト等の充填剤の考察において以下に列挙される特定の成分は、揮発性溶媒における粉末の懸濁に寄与することができる。レシチンは、懸濁剤として化粧スラリーに添加されることが好ましい。懸濁剤は、スラリー内に存在する溶媒の０から約１０重量％、好ましくは、０から約５重量％という範囲でスラリー内に取り込まれる。
【００５４】
化粧料組成物は、化粧料組成物の重量に基づき、以下の：
（１）好ましくは約０．１から約８０％、好ましくは約１から約６０％、最も好ましくは約５から約４５％という量の、所望の色効果を提供する量並びに所定の組合せの１又は複数の顔料及び／又は真珠箔顔料、
（２）０から約１５％、好ましくは約１から約１２％、最も好ましくは約２から約９％という範囲の１又は複数の乾式バインダー、
（３）０から約２５％、好ましくは約２から約２０％、最も好ましくは約３から約１０％という範囲のオイル等、１又は複数の湿式バインダー、
（４）一般的に０から約９５％、好ましくは約１０から約８５％、最も好ましくは約１５から６５％という範囲の１又は複数の充填剤、
（５）一般的に０から約５％、好ましくは約０．０５から約３％、最も好ましくは約０．１から約２％という範囲の抗菌効果のある量の防腐剤、及び、
（６）０から約１０％、好ましくは０から約５％という範囲の前記のような１又は複数の懸濁剤を含み、
乾式及び湿式バインダーの全体が、少なくとも約０．５％、好ましくは少なくとも約１％、最も好ましくは約４％以上であることが好ましい。
【００５５】
顔料及び真珠箔顔料は、化粧料組成物において、特にアイシャドーの化粧品において一般的に使用されるいかなる顔料又は真珠箔顔料でもあり得る。前記顔料は、化粧分野において使用される顔料と同じように被覆するか、さもなければ、処理して、耐久性を改善するだけでなく分散能力も改善することができる。例証的に、１又は複数の適した顔料を、以下の群：
１．ウルトラマリン；
２．二酸化チタン、雲母上の二酸化チタン等のチタン顔料；
３．フェロシアン化第二鉄、フェロシアン化第二鉄アンモニウム等のフェロシアン化物；
４．黒色酸化鉄、茶色酸化鉄、赤色酸化鉄、及び、黄色酸化鉄等の酸化鉄顔料；
５．Ｂｌｕｅ  Ｌａｋｅ１、Ｙｅｌｌｏｗ  Ｌａｋｅ５、Ｒｅｄ  Ｌａｋｅ４０、Ｙｅｌｌｏｗ  Ｎｏ．５アルミニウムレーキ、Ｙｅｌｌｏｗ  Ｎｏ．６アルミニウムレーキ、Ｒｅｄ  Ｎｏ．６バリウム／ストロンチウムレーキ、Ｒｅｄ  Ｎｏ．７カルシウムレーキ、Ｒｅｄ  Ｎｏ．７カルシウムレーキ、Ｒｅｄ  Ｎｏ．２７アルミニウムレーキ、Ｒｅｄ  Ｎｏ．３０レーキ等の染料及びレーキ等、医薬品化粧品グレードの有機着色剤；
６．カルミン；
７．マンガンバイオレット；並びに
８．水酸化クロム、酸化クロム等のクロム；
から選択することができる。
【００５６】
真珠箔顔料は天然又は合成のものであり、一般的に、顔料で被覆された鉱物性の基体である。顔料は、通常、酸化鉄（黒、赤、黄、又は茶）、二酸化チタン、及び、カルミンである。前記基体には、雲母、合成フルオロ金雲母、カルシウムボロシリケート、オキシ塩化ビスマス、及び、酸化アルミニウムが含まれる。適した真珠箔顔料は、二酸化チタン又は酸化鉄で被覆された雲母、二酸化チタンで被覆されたオキシ塩化ビスマス等であり得る。さらに、テレフタレート化合物等の物質を、化粧料組成物に取り込み、きらきら輝く容貌を提供することができる。
【００５７】
顔料及び真珠箔顔料を個々に又はいかなる組合せでも使用して、所定の色合い又は化粧効果を提供することができる。つや消しの色合いに対して、真珠箔顔料の物質が、所望の色合いを提供するために顔料と共に化粧料組成物内に含まれる。一方、クリーム色の色合いは、一般的に、主に顔料のみを含有し、真珠箔顔料の濃度は、化粧料組成物の約１０重量％未満である。選択した適用において使用することが認可されている顔料を選択するよう注意しなければならない。例えば、Ｒｅｄ  Ｎｏ．２７アルミニウムレーキは、アイメーキャップにおける使用にはアメリカ合衆国において認可されていない。
【００５８】
液体、半固体、又は固体のバインダーは、支持体に対する化粧品の付着、及び、表面の粉化を防ぐためにバインダー自体に対する化粧品の付着に寄与する。
【００５９】
１又は複数の適した乾式バインダーを、以下の群：
１．例えば、ステアリン酸亜鉛、ステアリン酸アルミニウム、ステアリン酸カルシウム、ステアリン酸リチウム、ステアリン酸マグネシウム等のステアリン酸塩、及び、ミリスチン酸亜鉛、ミリスチン酸アルミニウム、ミリスチン酸マグネシウム等のミリスチン酸塩等、脂肪酸の金属塩；
２．カルナウバ蝋、蜜蝋、合成蝋、微晶蝋、ポリエチレンワックス等の蝋；
３．ポリエチレン；
４．メタクリル酸メチル、ポリメタクリル酸メチル等のメタクリル酸塩；
５．カオリン；
６．ラウロイルリシン等のリシン；
７．窒化ホウ素；
８．セチルアルコール、ステアリルアルコール、エイコサノール等の脂肪族アルコール；並びに
９．オキシ塩化ビスマス；
から選択することができる。
【００６０】
１又は複数の適した湿式バインダーを、以下の群：
１．イソステアリルネオペンタノエート、イソステアリルヒドロキシステアリン酸、オクチルドデシルステアロイルステアリン酸、グリセリルエステル、ココ−カプリル酸塩／カプリン酸塩、カプリル酸／カプリン酸トリグリセリド、ステロールエステル、ＰＰＧ−１イソセテス−３アセテート等のエステル；
２．例えば、ジメチコーン、ジメチコノール、トリメチルシロキシシリケート、ジメチル／トリメチルポリシロキサン等のシリコン；
３．鉱油、ポリイソブテン、ペトロラタム等の非揮発性炭化水素油；
４．スクアラン、ココバター、シアバター、ホホバ油等の植物油等、天然油；
５．グリセリン等のポリオール；並びに
６．ポリウレタン、ポリアクリレート等のポリマー；
から選択することができる。湿式バインダーは一般的に親油性であり、液体、又は、ペトロラタムの場合は半固体であり得る。バインダーは、支持体上で化粧料組成物を維持する、及び、アプリケーターを使用して適用された場合に皮膚上に化粧料組成物を優先的に保持させるのにも効果的な量で提供される。
【００６１】
１又は複数の充填剤（増量剤とも呼ばれる）が、粉末を柔らかくし且つ化粧品の詰め込みを減らすために、好ましくは低密度の粉末の形状でスラリーに提供される。前記充填剤は、一般的に不活性の粉末であるが、好ましくは、皮膚に適用される時に化粧品の官能的性質及び適用性を最適化するよう選択することができる。この点で、球状の粒径を有した、シリカ、ポリエチレン、アルミナ、ポリメタクリル酸メチル、窒化ホウ素、ナイロン等の充填剤は、感触を改善し、光学的性質を高め、皮膚への適用を容易にする。その点で、充填剤は、化粧品が支持体からユーザーの体まで移動するのに寄与する。１又は複数の適した充填剤を、以下の群：
１．タルク；
２．雲母；
３．合成フルオロ金雲母；
４．絹雲母；
５．コーンスターチ；
６．ベントナイト及びカオリン等の粘土；
７．オキシ塩化ビスマス；
８．ケイ酸カルシウム；
９．炭酸カルシウム；
１０．極細ナイロン粉末等のナイロン粉末；
１１．ポリメタクリル酸メチル；
１２．ポリビニリデンのコポリマー；
１３．硫酸バリウム；
１４．シリカ及びアルミナ；
１５．滅菌したシルク粉末；
１６．ポリエチレン；
１７．窒化ホウ素；並びに
１８．カルシウムボロシリケート；
から選択することができる。
【００６２】
その点で、１又は複数の適した防腐剤を取り込むことができる。これらの防腐剤は、メチルパラベン、エチルパラベン、プロピルパラベン、ブチルパラベン等のパラベン、及び、カプリルイルグリコールの群から選択される場合がある。
【００６３】
化粧料組成物は、その意図された機能を達成するのに効果的な量で存在する１又は複数の有効成分も含み得る。有効成分は、日焼け止め剤、塗膜形成剤、芳香剤、酸化防止剤、エチレンジアミン四酢酸ナトリウム等のキレート化剤、ビタミン剤、視覚的ボケ剤（ｏｐｔｉｃａｌ  ｂｌｕｒｒｉｎｇ  ａｇｅｎｔ）、及び軟化剤であり得る。
【００６４】
一般的に、化粧品の有効成分は、化粧料組成物の０から約１０重量％、好ましくは約０．１から５重量％という量で存在する。エチルヘキシルメトキシシンナメート等の多くの日焼け止め剤が、油分濃度（ｏｉｌｙ  ｃｏｎｓｉｓｔｅｎｃｙ）を有し、従って、湿式バインダーの特性を有している。湿式バインダー特性を有した日焼け止め剤等の油性有効成分は、湿式バインダーのプレミックスに含まれ、化粧料組成物におけるその濃度は、上記のように湿式バインダーの濃度に含まれる。
【００６５】
上記のものは全て、一般的に、Ａｔｏｆｉｎａ社、ＢＡＳＦ社、Ｄｏｗ  Ｃｈｅｍｉｃａｌ社、Ｃｅｌａｎｅｓｅ社、Ｒｏｈｍ  ａｎｄ  Ｈａａｓ社、Ｍｉｔｓｕｂｉｓｈｉ  Ｒａｙｏｎ社、Ｐｒｅｓｐｅｒｓｅ社、Ｋｏｂｏ社、Ｎｏｖｅｏｎ社、ＩＳＰ社、Ｓｅｎｓｉｅｎｔ社、Ｒｏｎａ社、又はＳｕｍｉｔｏｍｏ社等の民間の供給業者から入手可能である。本発明の化粧品において使用するのに適した化粧成分は、（Ｃｏｓｍｅｔｉｃ，Ｔｏｉｌｅｔｒｉｅｓ  ａｎｄ  Ｆｒａｇｒａｎｃｅ  Ａｓｓｏｃｉａｔｉｏｎ（ＣＴＦＡ）として以前は既知であった）Ｐｅｒｓｏｎａｌ  Ｃａｒｅ  Ｐｒｏｄｕｃｔ  Ｃｏｕｎｃｉｌによって発行されたＩｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ（ＩＮＣＩ），Ｖｏｌ．３，Ｓｅｃｔｉｏｎ３（１１ｔｈ  Ｅｄｉｔｉｏｎ２００６）において認定されている。
【００６６】
＜アイシャドーアプリケーター＞
表１の化粧料組成物は、充填剤、顔料（真珠箔顔料は除く）、粉末バインダー、及び防腐剤を混合して粉末プレミックスを形成することによって調製される。湿式バインダーのプレミックスも調製され、粉末プレミックスは約７０％の湿式バインダープレミックスと混ぜ合わされ、ハンマーミルによる処理が続けられる。真珠箔顔料及び残りの湿式バインダーが、次に、混ぜ合わされながら添加される。
【００６７】
【表１】
2010535091.tif 000003
図５を参考にすると、混合物が記述されており、表１で規定された化粧料組成物の重量の５０の割合が、５０の割合の無臭のミネラルスピリットと混ぜられ、供給ドラム６６ａ内に満たされるスラリー８０ａが形成される。同様に、異なる色合いを有した適した化粧料組成物が調合され、揮発性溶媒と混ぜられてスラリー８０ｃ及び８０ｅが形成され、供給ドラム６６ｃ及び６６ｅ内に満たされる。供給ドラム６６ｂ及び６６ｄ内に満たされるスラリー８０ｂ及び８０ｄを、それぞれ、スラリー８０ａをスラリー８０ｃと１：１の重量比で混ぜ合わせ、スラリー８０ｃをスラリー８０ｅと１：１の重量比で混ぜ合わせることによって調製することができる。あるいは、前記３つの主要な粉末組成物を混ぜ合わせて、少しずつ変化する色合いを形成することができるか、又は、新たな組成物を少しずつ変化する色合いのために調製することができる。あるいは、スラリー８０ａと８０ｃ（及び、８０ｃと８０ｅ）を、スクリーン上に分配する前に１列に並べて混ぜ合わせることができる。
【００６８】
支持体はシステム５０内、特に各スクリーン印刷ユニット６０ａから６０ｅ内に供給され、スラリー８０ａから８０ｅのそれぞれが、スクリーン６３ａから６３ｅのそれぞれを介して支持体１２上に独立して分配される。支持体５４のロールはこの様式で処理され、裁断及び包装が仕上ユニット７０内で発生し、図１で示されているアプリケーター１０と一致したアプリケーターを提供する。
【００６９】
右目用アプリケーターは、アプリケーターの化粧品の側部を下方向に押しつけることによってユーザーの右目の上の領域に適用され、転がす、なでる、又はこする動きでこの領域に人さし指で穏やかな圧力を加え、その結果、支持体からこの領域まで化粧料組成物の単位用量を移動させて、５つの異なる色の度合の化粧料組成物１４ａから１４ｅが明らかになる。この手順が、左目用アプリケーターを使用して左目に対して繰り返される。
【００７０】
上記の説明は、従って、アイシャドー用アプリケーターに適用でき、並びに、フェイスパウダー、頬紅、パウダーカラーコレクター、又は、日焼けクリーム等の化粧品の適用に適したいかなる他の製品にも適用できる。
【００７１】
別の実施形態の下、柔らかく可撓性で一般的に薄い紙を支持体１２として使用して、上記のスクリーン印刷工程を使用し化粧製品を生産することができる。しかし、処理に先立ち、積層が支持のためにキャリアボードを含む積層ウェブを載せることができる。好ましくは、前記キャリアボードは、約０．００３から約０．０１２インチ、最も好ましくは約０．００８インチという厚さを有するべきである。キャリアボードは、紙が自己支持することができる場合に必要である場合もあり必要でない場合もあると理解される。それにもかかわらず、キャリアボードが使用される場合、そのボードは、紙と一致させるためにより薄く柔らかい表面を有していることが好ましい。前記キャリアボードは、不織材料又は他の材料からなる場合もある。適切な一致を可能にするために、接着剤がボードの表面に適用されることが好ましい。しかし、前記接着剤は、ボードが容易に取り外され、柔らかく／可撓性の紙に何も残さないか又は最小限の残留物を残すのを可能にするのに十分低い粘着力を有しているべきである。
【００７２】
好ましい接着剤は、紙と一致させるためにキャリアボードに適用される、低粘着性の圧力を加えるだけで接着する接着剤である。この接着剤は、紙に移すべきではない。この接着剤に対する引張応力は、好ましくは、０．１０から０．２０ｌｂｓであるべきである。この力を以下のように測定した。インストロン等の装置を使用して、２×４インチのストリップを１分あたり１２インチの速度で引き離し、読み取りは、裏材又はキャリアから柔らかく薄い紙を引き離すための最大応力ポイントであった。サンプル全体に渡って累積された応力ではなく、正しくは、「力の粘着力の強い力点」値を表している。縁の力は、０．２１から０．３０ｌｂｓの力で特定される。柔らかな紙及びキャリアボードは処理の終わりにて取り外すのが困難であり、化粧製品を破ってしまう可能性があるため、０．３０ｌｂｓを超える力は容認できないものであると考えられる。
【００７３】
本願の実施形態の下、化粧品アプリケーターを処理するのに使用されるスクリーン印刷ステーション１５０（図１５を参照）は、スクリーン１６３ａを介して紙の表面上に湿潤剤１８０ａを印刷するためにスクリーン印刷ユニット１６０ａを含む。スクリーン印刷ステーション１５０が、複数のスクリーン印刷ユニット６０ａ〜６０ｅに加えて、湿潤剤１８０ａを印刷するための印刷ユニット１６０ａを含むこと以外、図１５のスクリーン印刷ステーション１５０は図５のスクリーン印刷ステーション５０に類似している。軟質材料の厚さに応じて、支持ボードストック内への（リザーバ１６６ａから分配される）湿潤剤１８０ａのいくらかの吸収がある場合もあればない場合もある。本実施形態における湿潤剤は、上記のように化粧スラリーに添加される懸濁剤とは区別される。本明細書において記述される湿潤剤を使用し、紙の表面を予め湿らすことによって、化粧スラリーを受けるために紙を調製する。湿潤剤を適用することによって、その適用は、有利に、スクリーンの詰まりを防ぎ、紙の上に印刷するためにより平らな表面を提供する。前記湿潤剤は、特に、いかなる柔らかく可撓性で薄い及び／又は多孔性タイプの紙、不織材料、若しくは積層に対しても有利である。好ましくは、前記湿潤剤は揮発性であり、一般的に、以下で開示される乾燥ステップ中に可撓性の支持体から実質的に蒸発する。前記湿潤剤は、親水性である、及び、水と混和できることも好ましい。
【００７４】
湿潤剤１８０ａは、一般的に、低分子量のポリオール、又は、約２から８個の炭素を有した２つ以上のそのようなポリオールの混合物、好ましくは３から６個の炭素のジオールを含む。前記湿潤剤は、湿潤剤混合物の揮発性を調整するために少量の揮発性ニス材料（例えば、ニトロセルロース等の変性されたセルロース化合物）をさらに有することができる。前記湿潤剤は、シリカ及び／又はシックナーも含み得る。好ましくは、前記湿潤剤は、約５０．５％のジプロピレングリコール、約４４．５％のプロピレングリコール、約２．７％のシリカ、及び、約２．３％の医薬品グレードのニスを含み、ジプロピレングリコールの蒸気圧は２５℃で０．０１６ｍｍＨｇであり、プロピレングリコールの蒸気圧は２５℃で０．０１２９ｍｍＨｇである。医薬品グレードのニスは、アルコールベースの変性されたセルロース化合物（例えば、シェラックによって変性されたニトロセルロース）であり得る。好ましくは、前記湿潤剤は、化粧品印刷の形状及び接着剤を覆うパターンで印刷され、印刷のばらつきを見越して追加の１／８”がその周りを囲む。
【００７５】
前記湿潤剤は、印刷処理中少なくとも部分的に蒸発するはずであるが、後の化粧品印刷を所望のアートワーク外で色刷りさせるべきではない。上記の調合を参照すると、ジプロピレングリコール及びプロピレングリコールは、処理の間、本質的に蒸発する。シリカ等の非蒸発材料を使用して、湿潤剤の粘度を上げることができる。種々の割合での数多くの原料と増粘剤の組合せが可能である。湿潤剤ステーションは、前記原料が増粘剤を吸収するのを可能にし、次に、化粧粉末をその上に印刷することができる。
【００７６】
初めに適用された後、調合及び他の環境条件に応じて、室温から約１５０°Ｆに及ぶ温度、好ましくは約７７°Ｆの温度の下、湿潤剤をわずかに乾かすことができる。次に、二重のパーフォレーションを各サンプル内に配置するパーフォレーティングユニットを通して処理は続けられる。パーフォレーションは、適用中シートがユーザーによって離されるのを可能にする適切な大きさ及び深さのものであるべきである。
【００７７】
いくつかの化粧スラリーのうち第１のスラリーが、予め湿らされた軟質材料上に印刷されて、化粧品スラリー内の溶媒の一部を蒸発させ、着色された印刷表面をより移動しにくくし且つ次の色を拾い上げないようわずかに乾かされる。乾燥温度は、調合、システムの速度、及び、他の環境条件に応じて、室温（例えば、約６０°Ｆ）から約１５０°Ｆ、好ましくは約１４０°Ｆである。
【００７８】
着色された印刷物に対する次の化粧品の色が、第１の印刷された色にすぐ隣接して並んだ様式で印刷される。前に印刷された色を引き離し、それが表面に接触するのを防ぐパターンで「メークレディ」を作製することができる。メークレディは、前に印刷された領域に一致した切り抜きを有した薄いステンシルであり得る。第２の領域が印刷されることになる場合、そのメークレディは真空テーブル上に配置される。次に、前に印刷された領域がテーブルに向かって引っ張られるように、前記キャリアボード及び支持体がメークレディ上に配置されることになる。印刷されることになる第２の領域に対するスクリーンは、支持体上に配置され、第２の領域が印刷される。このように、前に印刷された領域を真空により引っ込めることによって、重ね刷り及び汚す機会が減る。ボードは、次に、その調合、システムの速度、及び、他の環境条件に応じて室温から約１５０°Ｆに及ぶ、好ましくは、約１１０°Ｆの温度を有した乾燥機に通される。
【００７９】
アートワークは、ほぼゼロの耐性で設計されることが好ましい。言い換えると、色は、重なり合うことなく可能な限り正確にそれぞれ接触する。ベースとなった柔らかい紙のどれもが、印刷された２つの色の間で現れていない。紙の湿潤により紙におけるわずかな移動又は膨張が起こり得るため、約１／３２から１／６４”とわずかにアートワークを持ち上げてこの膨張を見越す必要がある場合がある。これは、紙のどの部分もアートワークを介して現れるのを防ぎ、アートワークを歪めるのを防ぐ非常にわずかな重なり合いを生じる場合がある。さらなる化粧品の色は、すでに印刷された化粧品の色を引きはなすさらなる「メークレディ」を使用して、アートワークの複雑さに応じて印刷される。
【００８０】
全ての化粧品の色が印刷された後、ボードは乾燥機に通されて、揮発性の湿潤剤成分及び溶媒を化粧品スラリーから蒸発させ、正しい位置に化粧粉末のみを残す。次のスクリーンは、接着剤を印刷し、接着剤が印刷されている間にダメージを受けないように、化粧品印刷されたアートワーク全体をスクリーンの底面から引き離す「メークレディ」も有する。
【００８１】
接着剤を適用する場合、例えば、紙の上に重ねられる保護層に紙の支持体を保持する目の間の領域内（例えば図１３におけるブリッジ１１ｂ辺り）等、化粧品と共に印刷されない支持体の領域内、すなわち適用要素の領域の外に堆積があることを可能にするパターンで印刷されるべきである。保護層は接着剤上に適用され、紙を保護層に取り外し可能に貼り、その結果、化粧粉末を保護することになる。前記保護層は、４又は２ｍｍ厚の透明なポリエステルタイプのものであることが好ましい。この層は、ポリ材料、紙、バイオポリマー、又は、粉末を覆い保護するいかなる他の材料でもあり得る。アプリケーターが打ち抜かれ、母型が取り除かれる際に、紙及び保護層からの超過量が共に保持されるのを可能にするために、接着剤は化粧品アプリケーターの外にも印刷することができる。適用後、接着剤は、接着剤の調合、量、及び環境条件に応じて室温から約１８０°Ｆに及ぶ温度でわずかに乾かされる。好ましい接着剤は、水ベースの間接食品接触タイプである。方向を示す印を保護層上に印刷して、消費者に化粧品アプリケーターの適切な向きを示すことができる。
【００８２】
次に、保護層で覆われた柔らかい紙からボードを引き離すことによって裏紙を取り除くことができるか、又は、シートが裁断され印刷機から取り除かれた後に裏紙を取り除くことができる。印刷機上で取り除かれる場合、一番上の保護層及び化粧品印刷を有した紙が、引き離しを開始してそれらを引き離し、底のボード層を印刷機の下に巻きあげて一番上の層をシートに裁断することによってキャリアボードから引き離される。そのシートは、所望の形状に打ち抜かれる別の仕上作業まで移され、蓋を有したトレイ内に配置されて箱詰めされる。
【００８３】
本実施形態下の化粧用スクリーンは、Ｍａｘ  Ｒエマルションを使用して作製され、そのスクリーンは１１０から１８０メッシュに及ぶ。スクリーンは、ウェブと接触する側面で２度、スクイージ側で１度被覆されることが好ましい。湿潤剤のスクリーンは、Ｋｉｗｏ（商標）Ｐｏｌｙ−Ｐｌｕｓエマルションで被覆されることが好ましく、各側面が一度被覆される。湿潤剤のスクリーンは、３８０から５４０メッシュに及ぶ。
＜頬紅用アプリケーター＞
次に、図１４を参照すると、さらに別の実施形態が、図１〜１３及び１５に関して上記のアイシャドーの実施形態と実質的に類似の様式で処理される頬紅用アプリケーター（１００、１０１）に対して例示されている。化粧品アプリケーター１００は、以下の２つの形状：顔の左側に適した形状１００ａ、及び、顔の右側に適した形状１００ｂを有して例示されている。支持体１２０は、適用要素１４０を支持するために実質的に各形状（１００ａ、１００ｂ）の全体を含むよう可撓性の平面体製品を含んでいることが好ましい。その材料は、処理に耐えるよう十分に引張り強さのある柔らかく、可撓性の紙であることが好ましい。上記の支持体１２のように、支持体１２０は、数多くの他の材料からなる場合もある。
【００８４】
適用要素１４０は、実質的に、支持体１２０の前方表面上の薄膜に配置された複数の化粧品を含む。適用要素１４０は、図１４において１４０ａ〜１４０ｃとしておおまかに示された１又は複数の適用領域のパターンを含む。適用領域は、調和効果又は向上を含むようギャップレスの様式で互いに隣接していることが好ましい。化粧品の薄膜は、上記のように、湿式及び乾式バインダーの存在に照らして支持体上で粘着して維持されるよう構成される。各適用領域１４０ａ〜１４０ｅの大きさは、好感を持たれた配置を提供するか、又は、調和効果を提供し、さらにユーザーに対して容易な使用を可能にするよう予め決定されることが好ましい。
【００８５】
各適用領域１４０ａ〜１４０ｅに対する化粧料組成物は、顔料／真珠箔顔料、湿式／乾式バインダー、充填剤、及び防腐剤に関して記述された調合と実質的に同じである。頬紅用アプリケーターの実施形態の下、化粧料組成物は、アイシャドー用アプリケーターの実施形態と比較して質感において異なっていることが好ましい。適用中、瞼はアイカラーに折り目をつける傾向を有しており、それは、頬紅用アプリケーターに対して典型的な問題ではない。従って、頬紅用アプリケーターの化粧料組成物は、アイシャドーの組成物よりも油を含んでいる（湿っている）ことが好ましい。当然ながら、頬紅用アプリケーターの化粧料組成物は、油っこい皮膚を有する者に対して、又は、頬紅が保湿用クリーム又はファンデーション上に適用される場合はアイシャドーの組成物のような粉末からなる場合がある。
【００８６】
一実施形態の下、最も薄い色合い１４０ｃは、頬骨に対応する適用要素１４０の領域内に配置され、より濃い色合い（１４０ｂ、１４０ａ）が頬を下りて続くことになる。薄い色合いはユーザーが化粧品アプリケーターの適切な配置を確実にするのに寄与する。適用中、ユーザーは、ハンドル１３ａ（又は１３ｂ）を使用してアプリケーター１００を握ることになり、タブは垂直な位置で耳に面する。ユーザーは、次に、頬を横切りアプリケーターをすべらせる。後の混合は、指先によって行われ、より形状にあった及び／又ははっきりされた頬を生じることになる。
【００８７】
化粧品アプリケーター１０１は、ハンドル１３１ａ、１３１ｂを使用してユーザーが握ることができるタブを有した異なる形状（１０１ａ、１０１ｂ）が提供されることを除いて、アプリケーター１００と同一である。支持体１２１の組成物は、アプリケーター１００の支持体１２０に関して記述されており、簡潔さのためここでは繰り返されない。化粧品アプリケーター１００、１０１どちらに対しても、支持体（１２０、１２１）上に保護層（図示せず）を保持するための接着剤１１０の有利な配置が例示されている。
【００８８】
上記の説明は、本発明の好ましい実施形態のものであり、例証としてのみ含まれ、さらに、本発明を限定しないことを理解されたい。明らかに、化粧品アプリケーターの変形、及び、その作製方法は、当業者によって理解され、そのような変形は、以下に記載される特許請求の範囲によって規定された本発明の範囲内に含まれる。
【図１】
2010535091.tif 000004
【図２ａ】
2010535091.tif 000005
【図２ｂ】
2010535091.tif 000006
【図３ａ】
2010535091.tif 000007
【図３ｂ】
2010535091.tif 000008
【図４ａ】
2010535091.tif 000009
【図４ｂ】
2010535091.tif 000010
【図４ｃ】
2010535091.tif 000011
【図４ｄ】
2010535091.tif 000012
【図５】
2010535091.tif 000013
【図６】
2010535091.tif 000014
【図７】
2010535091.tif 000015
【図８】
2010535091.tif 000016
【図９】
2010535091.tif 000017
【図１０】
2010535091.tif 000018
【図１１ａ】
2010535091.tif 000019
【図１１ｂ】
2010535091.tif 000020
【図１２ａ】
2010535091.tif 000021
【図１２ｂ】
2010535091.tif 000022
【図１３】
2010535091.tif 000023
【図１４】
2010535091.tif 000024
【図１５】
2010535091.tif 000025
【国際調査報告】
2010535091.tif 000026